(57)【要約】【課題】質問または問題の解答に基づいて、食事および健康、ならびに学習方法の面において、各ユーザに適したアドバイスを提供する健康管理システム、健康管理方法、そのプログラム、学習指導システム、学習指導方法、およびそのプログラムを提供する。【解決手段】ユーザ端末１は、会員の個人情報、会員の健康に関するアンケートの回答、ユーザが歩いた歩数の情報を顧客管理情報ＤＢ２に送信する。顧客管理情報ＤＢ２は、会員の個人情報およびアンケートの回答に基づいて、会員情報を作成する。カウンセリング端末３は、会員情報および歩数情報に基づいて、食事および健康に関するアドバイス情報を作成し、ユーザ端末１に送信する。【選択図】　　　　図１
2004070755.tif 000002
【特許請求の範囲】
【請求項１】
ユーザにより操作されるユーザ端末装置と、前記ユーザの情報を格納する顧客管理情報データベースと、健康面・食事面に関するアドバイスを提供するカウンセリング端末装置と、がネットワークを介して互いに接続されている健康管理システムであって、
前記顧客管理情報データベースは、
前記ユーザの健康状態を示す健康情報を格納する健康情報格納手段と、
前記ユーザが歩いた歩数を示す歩数情報を格納する歩数情報格納手段と、を有し、
前記カウンセリング端末装置は、
前記健康情報格納手段により格納された健康情報と、前記歩数情報格納手段により格納された歩数情報と、に基づいて、前記ユーザに対する健康面のアドバイスおよび食事メニューを示すアドバイス情報を作成するアドバイス作成手段と、前記アドバイス作成手段により作成されたアドバイス情報を前記ユーザ端末装置に送信するアドバイス送信手段と、
を有することを特徴とする健康管理システム。
【請求項２】
前記ネットワークに接続され、食事メニューの調理方法を示す情報を提供する食事メニューデータベースをさらに有し、
前記食事メニューデータベースは、
前記食事メニューの調理方法を示す１つ以上のレシピ情報を格納するレシピ情報格納手段と、
前記アドバイス送信手段により送信されたアドバイス情報に含まれる食事メニューに対応するレシピ情報を、前記１つ以上のレシピ情報から抽出するレシピ情報抽出手段と、
前記レシピ情報抽出手段により抽出されたレシピ情報を前記ユーザ端末装置に送信するレシピ情報送信手段と、
を有することを特徴とする請求項１記載の健康管理システム。
【請求項３】
前記ネットワークに接続され、食材の販売情報を提供する食材情報データベースをさらに有し、
前記食材情報データベースは、
料理の食材に関する１つ以上の食材情報を格納する食材情報格納手段と、
前記レシピ情報送信手段により送信されたレシピ情報に含まれる食材情報を、前記１つ以上の食材情報から抽出する食材情報抽出手段と、
前記食材情報抽出手段により抽出された食材情報を前記ユーザ端末装置に送信する食材情報送信手段と、
を有することを特徴とする請求項２記載の健康管理システム。
【請求項４】
前記食材情報格納手段は、
前記料理の食材の名前、前記食材を販売する店舗、および前記店舗における前記食材の値段を含む前記食材情報を格納することを特徴とする請求項３記載の健康管理システム。
【請求項５】
前記顧客管理情報データベースは、
前記ユーザの住所情報を格納するユーザ住所情報格納手段を有し、
前記食材情報データベースは、
前記店舗の住所情報を格納する店舗住所情報格納手段を有し、
前記食材情報抽出手段は、
前記ユーザの住所情報と、前記店舗の住所情報に基づいて、前記ユーザの住所の近隣に位置する前記食材を販売する店舗を検出し、前記近隣に位置する店舗および前記近隣に位置する店舗における前記食材の値段を含む前記食材情報を抽出することを特徴とする請求項４記載の健康管理システム。
【請求項６】
前記ネットワークに接続され、運送業務を行う配送センタにより管理される配送センタデータベースをさらに有し、
前記配送センタデータベースは、
前記食材情報送信手段により送信された前記食材情報に含まれる食材の配送要求を前記ユーザ端末装置から受信する配送要求受信手段を有することを特徴とする請求項３から５のいずれか１項に記載の健康管理システム。
【請求項７】
ユーザにより操作されるユーザ端末装置と、前記ユーザの情報を格納する顧客管理情報データベースと、健康面・食事面に関するアドバイスを提供するカウンセリング端末装置と、がネットワークを介して互いに接続されている健康管理システムを用いた健康管理方法であって、
前記顧客管理情報データベースが、前記ユーザの健康状態を示す健康情報を格納する健康情報格納工程と、
前記顧客管理情報データベースが、前記ユーザが歩いた歩数を示す歩数情報を格納する歩数情報格納工程と、
前記カウンセリング端末装置が、前記健康情報入力工程により入力された健康情報と、前記歩数情報入力工程により入力された歩数情報と、に基づいて、前記ユーザに対する健康面のアドバイスおよび食事メニューを示すアドバイス情報を作成するアドバイス作成工程と、
前記カウンセリング端末装置が、前記アドバイス作成工程により作成されたアドバイス情報を前記ユーザ端末装置に送信するアドバイス送信工程と、
を有することを特徴とする健康管理方法。
【請求項８】
前記ネットワークに接続される食事メニューデータベースが、食事メニューの調理方法を示す１つ以上のレシピ情報を格納するレシピ情報格納工程と、
前記食事メニューデータベースが、前記アドバイス送信工程により送信したアドバイス情報に含まれる食事メニューに対応するレシピ情報を、前記１つ以上のレシピ情報から抽出するレシピ情報抽出工程と、
前記食事メニューデータベースが、前記レシピ情報抽出工程により抽出されたレシピ情報を前記ユーザ端末装置に送信するレシピ情報送信工程と、
を有することを特徴とする請求項７記載の健康管理方法。
【請求項９】
前記ネットワークに接続される食材情報データベースが、料理の食材に関する１つ以上の食材情報を格納する食材情報格納工程と、
前記食材情報データベースが、前記レシピ情報送信工程により送信されたレシピ情報に含まれる食材情報を、前記１つ以上の食材情報から抽出する食材情報抽出工程と、
前記食材情報データベースが、前記食材情報抽出工程により抽出された食材情報を前記ユーザ端末装置に送信する食材情報送信工程と、
を有することを特徴とする請求項８記載の健康管理方法。
【請求項１０】
ユーザの健康状態を示す健康情報を格納する健康情報格納処理と、
前記ユーザが歩いた歩数を示す歩数情報を格納する歩数情報格納処理と、
前記健康情報入力処理により入力された健康情報と、前記歩数情報入力処理により入力された歩数情報と、に基づいて、前記ユーザに対する健康面のアドバイスおよび食事メニューを示すアドバイス情報を作成するアドバイス作成処理と、
をコンピュータに実行させるためのプログラム。
【請求項１１】
食事メニューの調理方法を示す１つ以上のレシピ情報を格納するレシピ情報格納処理と、
前記アドバイス作成処理により作成されたアドバイス情報に含まれる食事メニューに対応するレシピ情報を、前記１つ以上のレシピ情報から抽出するレシピ情報抽出処理と、
をコンピュータに実行させるための請求項１０記載のプログラム。
【請求項１２】
料理の食材に関する１つ以上の食材情報を格納する食材情報格納処理と、
前記レシピ情報抽出処理により抽出されたレシピ情報に含まれる食材情報を、前記１つ以上の食材情報から抽出する食材情報抽出処理と、
をコンピュータに実行させるための請求項１１記載のプログラム。
【請求項１３】
ユーザにより操作されるユーザ端末装置と、前記ユーザの情報を格納する顧客管理情報データベースと、学習方法に関するアドバイスを提供する学習アドバイス端末装置と、がネットワークを介して互いに接続されている学習指導システムであって、
前記顧客管理情報データベースは、
１つ以上の試験問題を示す試験問題情報を格納する試験問題格納手段と、
前記試験問題格納手段により格納された試験問題情報を前記ユーザ端末装置に送信する試験問題送信手段と、
前記試験問題送信手段により送信された試験問題情報に対する解答を示す解答情報を前記ユーザ端末装置から受信する解答受信手段と、
前記解答受信手段により受信された解答情報に基づいて、前記送信された試験問題情報における各分野の解答の正答率を示す正答率情報を出力する正答率出力手段と、
前記学習アドバイス端末装置は、
前記正答率出力手段により出力された正答率情報に基づいて、前記ユーザに対する学習方法のアドバイスおよび前記ユーザに購読を推薦する学習用書籍を示すアドバイス情報を作成するアドバイス作成手段と、
前記アドバイス作成手段により作成されたアドバイス情報を前記ユーザ端末装置に送信するアドバイス送信手段と、
を有することを特徴とする学習指導システム。
【請求項１４】
前記ネットワークに接続され、前記ユーザに学習用書籍に関する情報を提供する書籍データベースをさらに有し、
前記書籍データベースは、
前記学習用書籍を示す１つ以上の書籍情報を格納する書籍情報格納手段と、
前記アドバイス送信手段により送信されたアドバイス情報に含まれる前記購読を推薦する学習用書籍に対応する書籍情報を、前記１つ以上の書籍情報から抽出する書籍情報抽出手段と、
前記書籍情報抽出手段により抽出された書籍情報を前記ユーザ端末装置に送信する書籍情報送信手段と、
を有することを特徴とする請求項１３記載の学習指導システム。
【請求項１５】
前記ネットワークに接続され、前記学習用書籍の販売情報を提供する書店情報データベースをさらに有し、
前記書店情報データベースは、
前記学習用書籍を販売する店舗に関する１つ以上の書店情報を格納する書店情報格納手段と、
前記書籍情報送信手段により送信された書籍情報に含まれる学習用書籍を販売する店舗に関する前記書店情報を、前記１つ以上の書店情報から抽出する書店情報抽出手段と、
前記書店情報抽出手段により抽出された書店情報を前記ユーザ端末装置に送信する書店情報送信手段と、
を有することを特徴とする請求項１４記載の学習指導システム。
【請求項１６】
前記書店情報格納手段は、
前記学習用書籍の名前、前記学習用書籍を販売する店舗、および前記店舗における前記学習用書籍の値段を含む前記書店情報を格納することを特徴とする請求項１５記載の学習指導システム。
【請求項１７】
前記顧客管理情報データベースは、
前記ユーザの住所情報を格納するユーザ住所情報格納手段を有し、
前記書店情報データベースは、
前記学習用書籍を販売する店舗の住所情報を格納する店舗住所情報格納手段を有し、
前記書店情報抽出手段は、
前記ユーザの住所情報と、前記店舗の住所情報に基づいて、前記ユーザの住所の近隣に位置する前記学習用書籍を販売する店舗を検出し、前記近隣に位置する店舗および前記近隣に位置する店舗における前記学習予書籍の値段を含む前記書籍情報を抽出することを特徴とする請求項１６記載の学習指導システム。
【請求項１８】
前記ネットワークに接続され、運送業務を行う配送センタにより管理される配送センタデータベースをさらに有し、
前記配送センタデータベースは、
前記書店情報送信手段により送信された前記書店情報に含まれる学習用書籍の配送要求を前記ユーザ端末装置から受信する配送要求受信手段を有することを特徴とする請求項１５から１７のいずれか１項に記載の学習指導システム。
【請求項１９】
ユーザにより操作されるユーザ端末装置と、前記ユーザの情報を格納する顧客管理情報データベースと、学習方法に関するアドバイスを提供する学習アドバイス端末装置と、がネットワークを介して互いに接続されている学習指導システムを用いた学習指導方法であって、
前記顧客管理情報データベースが、１つ以上の試験問題を示す試験問題情報を格納する試験問題格納工程と、
前記顧客管理情報データベースが、前記試験問題格納工程により格納した試験問題情報を前記ユーザ端末装置に送信する試験問題送信工程と、
前記顧客管理情報データベースが、前記試験問題送信工程により送信した試験問題情報に対する解答を示す解答情報を前記ユーザ端末装置から受信する解答受信工程と、
前記顧客管理情報データベースが、前記解答受信工程により受信した解答情報に基づいて、前記送信した試験問題情報における各分野の解答の正答率を示す正答率情報を出力する正答率出力工程と、
前記学習アドバイス端末装置が、前記正答率出力工程により出力された正答率情報に基づいて、前記ユーザに対する学習方法のアドバイスおよび前記ユーザに購読を推薦する学習用書籍を示すアドバイス情報を作成するアドバイス作成工程と、
前記学習アドバイス端末装置が、前記アドバイス作成工程により作成したアドバイス情報を前記ユーザ端末装置に送信するアドバイス送信工程と、
を有することを特徴とする学習指導方法。
【請求項２０】
前記ネットワークに接続される書籍データベースが、前記学習用書籍を示す１つ以上の書籍情報を格納する書籍情報格納工程と、
前記書籍データベースが、前記アドバイス送信工程により送信されたアドバイス情報に含まれる前記購読を推薦する学習用書籍に対応する書籍情報を、前記１つ以上の書籍情報から抽出する書籍情報抽出工程と、
前記書籍データベースが、前記書籍情報抽出工程により抽出した書籍情報を前記ユーザ端末装置に送信する書籍情報送信工程と、
を有することを特徴とする請求項１９記載の学習指導方法。
【請求項２１】
前記ネットワークに接続される書店情報データベースが、前記学習用書籍を販売する店舗に関する１つ以上の書店情報を格納する書店情報格納工程と、
前記書店情報データベースが、前記書籍情報送信工程により送信された書籍情報に含まれる学習用書籍を販売する店舗に関する前記書店情報を、前記１つ以上の書店情報から抽出する書店情報抽出工程と、
前記書店情報データベースが、前記書店情報抽出工程により抽出した書店情報を前記ユーザ端末装置に送信する書店情報送信工程と、
を有することを特徴とする請求項２０記載の学習指導方法。
【請求項２２】
１つ以上の試験問題を示す試験問題情報を格納する試験問題格納処理と、
前記試験問題格納処理により格納された試験問題情報を出力する試験問題出力処理と、
前記試験問題出力処理により出力された試験問題情報に対するユーザによる解答を示す解答情報を入力する解答入力処理と、
前記解答入力処理により入力された解答情報に基づいて、前記出力した試験問題情報における各分野の解答の正答率を示す正答率情報を出力する正答率出力処理と、
前記正答率出力処理により出力された正答率情報に基づいて、前記ユーザに対する学習方法のアドバイスおよび前記ユーザに購読を推薦する学習用書籍を示すアドバイス情報を作成するアドバイス作成処理と、
をコンピュータに実行させるためのプログラム。
【請求項２３】
前記学習用書籍を示す１つ以上の書籍情報を格納する書籍情報格納処理と、
前記アドバイス作成処理により作成されたアドバイス情報に含まれる前記購読を推薦する学習用書籍に対応する書籍情報を、前記１つ以上の書籍情報から抽出する書籍情報抽出処理と、
をコンピュータに実行させるための請求項２２記載のプログラム。
【請求項２４】
前記学習用書籍を販売する店舗に関する１つ以上の書店情報を格納する書店情報格納処理と、
前記書籍情報抽出処理により抽出された書籍情報に含まれる学習用書籍を販売する店舗に関する前記書店情報を、前記１つ以上の書店情報から抽出する書店情報抽出処理と、
をコンピュータに実行させるための請求項２３記載のプログラム。
【発明の詳細な説明】
【０００１】
【発明の属する技術分野】
本発明は、健康管理システム、健康管理方法、そのプログラム、学習指導システム、学習指導方法、およびそのプログラムに関し、特に、ユーザ側の情報に基づいてアドバイス情報を提供する健康管理システム、健康管理方法、そのプログラム、学習指導システム、学習指導方法、およびそのプログラムに関する。
【０００２】
【従来の技術】
現代社会では、多忙のあまり常に時間に追われ、自身の状態または能力に応じた的確なアドバイスを受ける機会が減少している。このような問題は、健康管理面で顕著であり、運動不足などに起因する成人病が増加しており、少なくとも健康とは言いがたい世の中になってきている。また健康管理の面においても、年に１回の健康診断や人間ドックで済ます人が多く、日ごろのチェックを怠っているケースも増えており、本人の自覚症状がないまま、病気になっているケースが少なくない。
【０００３】
上記のような問題を解決するための従来技術として、特開２０００−１２１３８１号公報が開示するところの歩数計、及び健康管理装置（以下、従来例１）があった。従来例１では、健康管理装置は、歩数計により計測された歩数データを受け取ると、受け取った歩数データに基づいた健康管理に関するアドバイスを歩数計に送り返していた。
【０００４】
また、特開２００１−３５７１３８号公報が開示するところの献立作成システム（以下、従来例２）では、サーバコンピュータは、クライアントコンピュータにより入力された病気情報および検査データを受信すると、受信した病気情報および検査データに基づいて、食事の献立を作成していた。クライアントコンピュータは、作成された食事の献立のレシピを表示することが可能であった。また、クライアントコンピュータは、献立メニューに係る食事の宅配をデリバリー会社が管理するサーバコンピュータに注文することが可能であった。
【０００５】
また、特開２００２−７５７５号公報が開示するところの料理提供方法、料理提供システム、料理提案装置、及び記録媒体（以下、従来例３）では、料理提案装置は、提供要求装置から個人情報を受信すると、受信した個人情報に基づいて、健康診断を行い、個人情報および健康診断の結果、料理情報を作成していた。提供要求装置は、料理提案装置から料理情報を取得し、取得した料理情報を発注することが可能であった。
【０００６】
また、特開２００２−３９７８７号公報が開示するところの歩数計および生体情報データ管理システム（以下、従来例４）では、遠隔端末は、受信した歩数データおよび生体情報データに基づいて、生体情報データの管理、解析、指導を行っていた。
【０００７】
また、特開平１１−５６８１９号公報が開示するところの電子万歩計（登録商標）端末（以下、従来例５）では、電子万歩計（登録商標）端末は、入力された歩数、消費カロリー、摂取カロリー、体重、運動等の情報の一元管理を実現していた。
【０００８】
また、上記の医療・健康管理の分野だけでなく、例えば、教育の分野においても、試験受験者が受けた試験の結果に基づいた、適切な学習方法のアドバイスを行うことが要求されていた。
【０００９】
【発明が解決しようとする課題】
しかしながら、上記の従来例１乃至従来例５では、食事面および健康面の情報を一元管理して、食事面および健康面の両方のアドバイスを行うことが困難であった。
【００１０】
また、従来技術では、試験受験者は、試験結果などに基づいた適切な学習方法のアドバイスを時間および場所を問わずに取得することが困難であった。
【００１１】
本発明は、上記問題点に鑑みてなされたものであり、質問または問題の解答に基づいて、食事および健康、ならびに学習方法の面において、各ユーザに適したアドバイスを提供する健康管理システム、健康管理方法、そのプログラム、学習指導システム、学習指導方法、およびそのプログラムを提供することを目的とする。
【００１２】
【課題を解決するための手段】
かかる目的を達成するため、請求項１記載の発明は、ユーザにより操作されるユーザ端末装置と、ユーザの情報を格納する顧客管理情報データベースと、健康面・食事面に関するアドバイスを提供するカウンセリング端末装置と、がネットワークを介して互いに接続されている健康管理システムであって、顧客管理情報データベースは、ユーザの健康状態を示す健康情報を格納する健康情報格納手段と、ユーザが歩いた歩数を示す歩数情報を格納する歩数情報格納手段と、を有し、カウンセリング端末装置は、健康情報格納手段により格納された健康情報と、歩数情報格納手段により格納された歩数情報と、に基づいて、ユーザに対する健康面のアドバイスおよび食事メニューを示すアドバイス情報を作成するアドバイス作成手段と、アドバイス作成手段により作成されたアドバイス情報をユーザ端末装置に送信するアドバイス送信手段と、を有することを特徴とする。
【００１３】
また、請求項２記載の発明によれば、請求項１記載の健康管理システムにおいて、ネットワークに接続され、食事メニューの調理方法を示す情報を提供する食事メニューデータベースをさらに有し、食事メニューデータベースは、食事メニューの調理方法を示す１つ以上のレシピ情報を格納するレシピ情報格納手段と、アドバイス送信手段により送信されたアドバイス情報に含まれる食事メニューに対応するレシピ情報を、１つ以上のレシピ情報から抽出するレシピ情報抽出手段と、レシピ情報抽出手段により抽出されたレシピ情報をユーザ端末装置に送信するレシピ情報送信手段と、を有することを特徴とする。
【００１４】
また、請求項３記載の発明によれば、請求項２記載の健康管理システムにおいて、ネットワークに接続され、食材の販売情報を提供する食材情報データベースをさらに有し、食材情報データベースは、料理の食材に関する１つ以上の食材情報を格納する食材情報格納手段と、レシピ情報送信手段により送信されたレシピ情報に含まれる食材情報を、１つ以上の食材情報から抽出する食材情報抽出手段と、食材情報抽出手段により抽出された食材情報をユーザ端末装置に送信する食材情報送信手段と、を有することを特徴とする。
【００１５】
また、請求項４記載の発明によれば、請求項３記載の健康管理システムにおいて、食材情報格納手段は、料理の食材の名前、食材を販売する店舗、および店舗における食材の値段を含む食材情報を格納することを特徴とする。
【００１６】
また、請求項５記載の発明によれば、請求項４記載の健康管理システムにおいて、顧客管理情報データベースは、ユーザの住所情報を格納するユーザ住所情報格納手段を有し、食材情報データベースは、店舗の住所情報を格納する店舗住所情報格納手段を有し、食材情報抽出手段は、ユーザの住所情報と、店舗の住所情報に基づいて、ユーザの住所の近隣に位置する食材を販売する店舗を検出し、近隣に位置する店舗および近隣に位置する店舗における食材の値段を含む食材情報を抽出することを特徴とする。
【００１７】
また、請求項６記載の発明によれば、請求項３から５のいずれか１項に記載の健康管理システムにおいて、ネットワークに接続され、運送業務を行う配送センタにより管理される配送センタデータベースをさらに有し、配送センタデータベースは、食材情報送信手段により送信された食材情報に含まれる食材の配送要求をユーザ端末装置から受信する配送要求受信手段を有することを特徴とする。
【００１８】
また、請求項７記載の発明は、ユーザにより操作されるユーザ端末装置と、ユーザの情報を格納する顧客管理情報データベースと、健康面・食事面に関するアドバイスを提供するカウンセリング端末装置と、がネットワークを介して互いに接続されている健康管理システムを用いた健康管理方法であって、顧客管理情報データベースが、ユーザの健康状態を示す健康情報を格納する健康情報格納工程と、顧客管理情報データベースが、ユーザが歩いた歩数を示す歩数情報を格納する歩数情報格納工程と、カウンセリング端末装置が、健康情報入力工程により入力された健康情報と、歩数情報入力工程により入力された歩数情報と、に基づいて、ユーザに対する健康面のアドバイスおよび食事メニューを示すアドバイス情報を作成するアドバイス作成工程と、カウンセリング端末装置が、アドバイス作成工程により作成されたアドバイス情報をユーザ端末装置に送信するアドバイス送信工程と、を有することを特徴とする。
【００１９】
また、請求項８記載の発明によれば、請求項７記載の健康管理方法において、ネットワークに接続される食事メニューデータベースが、食事メニューの調理方法を示す１つ以上のレシピ情報を格納するレシピ情報格納工程と、食事メニューデータベースが、アドバイス送信工程により送信したアドバイス情報に含まれる食事メニューに対応するレシピ情報を、１つ以上のレシピ情報から抽出するレシピ情報抽出工程と、食事メニューデータベースが、レシピ情報抽出工程により抽出されたレシピ情報をユーザ端末装置に送信するレシピ情報送信工程と、を有することを特徴とする。
【００２０】
また、請求項９記載の発明によれば、請求項８記載の健康管理方法において、ネットワークに接続される食材情報データベースが、料理の食材に関する１つ以上の食材情報を格納する食材情報格納工程と、食材情報データベースが、レシピ情報送信工程により送信されたレシピ情報に含まれる食材情報を、１つ以上の食材情報から抽出する食材情報抽出工程と、食材情報データベースが、食材情報抽出工程により抽出された食材情報をユーザ端末装置に送信する食材情報送信工程と、を有することを特徴とする。
【００２１】
また、請求項１０記載の発明は、ユーザの健康状態を示す健康情報を格納する健康情報格納処理と、ユーザが歩いた歩数を示す歩数情報を格納する歩数情報格納処理と、健康情報入力処理により入力された健康情報と、歩数情報入力処理により入力された歩数情報と、に基づいて、ユーザに対する健康面のアドバイスおよび食事メニューを示すアドバイス情報を作成するアドバイス作成処理と、をコンピュータに実行させることを特徴とする。
【００２２】
また、請求項１１記載の発明によれば、請求項１０記載のプログラムにおいて、食事メニューの調理方法を示す１つ以上のレシピ情報を格納するレシピ情報格納処理と、アドバイス作成処理により作成されたアドバイス情報に含まれる食事メニューに対応するレシピ情報を、１つ以上のレシピ情報から抽出するレシピ情報抽出処理と、をコンピュータに実行させることを特徴とする。
【００２３】
また、請求項１２記載の発明によれば、請求項１１記載のプログラムにおいて、料理の食材に関する１つ以上の食材情報を格納する食材情報格納処理と、レシピ情報抽出処理により抽出されたレシピ情報に含まれる食材情報を、１つ以上の食材情報から抽出する食材情報抽出処理と、をコンピュータに実行させることを特徴とする。
【００２４】
また、請求項１３記載の発明は、ユーザにより操作されるユーザ端末装置と、ユーザの情報を格納する顧客管理情報データベースと、学習方法に関するアドバイスを提供する学習アドバイス端末装置と、がネットワークを介して互いに接続されている学習指導システムであって、顧客管理情報データベースは、１つ以上の試験問題を示す試験問題情報を格納する試験問題格納手段と、試験問題格納手段により格納された試験問題情報をユーザ端末装置に送信する試験問題送信手段と、試験問題送信手段により送信された試験問題情報に対する解答を示す解答情報をユーザ端末装置から受信する解答受信手段と、解答受信手段により受信された解答情報に基づいて、送信された試験問題情報における各分野の解答の正答率を示す正答率情報を出力する正答率出力手段と、学習アドバイス端末装置は、正答率出力手段により出力された正答率情報に基づいて、ユーザに対する学習方法のアドバイスおよびユーザに購読を推薦する学習用書籍を示すアドバイス情報を作成するアドバイス作成手段と、アドバイス作成手段により作成されたアドバイス情報をユーザ端末装置に送信するアドバイス送信手段と、を有することを特徴とする。
【００２５】
また、請求項１４記載の発明によれば、請求項１３記載の学習指導システムにおいて、ネットワークに接続され、ユーザに学習用書籍に関する情報を提供する書籍データベースをさらに有し、書籍データベースは、学習用書籍を示す１つ以上の書籍情報を格納する書籍情報格納手段と、アドバイス送信手段により送信されたアドバイス情報に含まれる購読を推薦する学習用書籍に対応する書籍情報を、１つ以上の書籍情報から抽出する書籍情報抽出手段と、書籍情報抽出手段により抽出された書籍情報をユーザ端末装置に送信する書籍情報送信手段と、を有することを特徴とする。
【００２６】
また、請求項１５記載の発明によれば、請求項１４記載の学習指導システムにおいて、ネットワークに接続され、学習用書籍の販売情報を提供する書店情報データベースをさらに有し、書店情報データベースは、学習用書籍を販売する店舗に関する１つ以上の書店情報を格納する書店情報格納手段と、書籍情報送信手段により送信された書籍情報に含まれる学習用書籍を販売する店舗に関する書店情報を、１つ以上の書店情報から抽出する書店情報抽出手段と、書店情報抽出手段により抽出された書店情報をユーザ端末装置に送信する書店情報送信手段と、を有することを特徴とする。
【００２７】
また、請求項１６記載の発明によれば、請求項１５記載の学習指導システムにおいて、書店情報格納手段は、学習用書籍の名前、学習用書籍を販売する店舗、および店舗における学習用書籍の値段を含む書店情報を格納することを特徴とする。
【００２８】
また、請求項１７記載の発明によれば、請求項１６記載の学習指導システムにおいて、顧客管理情報データベースは、ユーザの住所情報を格納するユーザ住所情報格納手段を有し、書店情報データベースは、学習用書籍を販売する店舗の住所情報を格納する店舗住所情報格納手段を有し、書店情報抽出手段は、ユーザの住所情報と、店舗の住所情報に基づいて、ユーザの住所の近隣に位置する学習用書籍を販売する店舗を検出し、近隣に位置する店舗および近隣に位置する店舗における学習予書籍の値段を含む書籍情報を抽出することを特徴とする。
【００２９】
また、請求項１８記載の発明によれば、請求項１５から１７のいずれか１項に記載の学習指導システムにおいて、ネットワークに接続され、運送業務を行う配送センタにより管理される配送センタデータベースをさらに有し、配送センタデータベースは、書店情報送信手段により送信された書店情報に含まれる学習用書籍の配送要求をユーザ端末装置から受信する配送要求受信手段を有することを特徴とする。
【００３０】
また、請求項１９記載の発明は、ユーザにより操作されるユーザ端末装置と、ユーザの情報を格納する顧客管理情報データベースと、学習方法に関するアドバイスを提供する学習アドバイス端末装置と、がネットワークを介して互いに接続されている学習指導システムを用いた学習指導方法であって、顧客管理情報データベースが、１つ以上の試験問題を示す試験問題情報を格納する試験問題格納工程と、顧客管理情報データベースが、試験問題格納工程により格納した試験問題情報をユーザ端末装置に送信する試験問題送信工程と、顧客管理情報データベースが、試験問題送信工程により送信した試験問題情報に対する解答を示す解答情報をユーザ端末装置から受信する解答受信工程と、顧客管理情報データベースが、解答受信工程により受信した解答情報に基づいて、送信した試験問題情報における各分野の解答の正答率を示す正答率情報を出力する正答率出力工程と、学習アドバイス端末装置が、正答率出力工程により出力された正答率情報に基づいて、ユーザに対する学習方法のアドバイスおよびユーザに購読を推薦する学習用書籍を示すアドバイス情報を作成するアドバイス作成工程と、学習アドバイス端末装置が、アドバイス作成工程により作成したアドバイス情報をユーザ端末装置に送信するアドバイス送信工程と、を有することを特徴とする。
【００３１】
また、請求項２０記載の発明によれば、請求項１９記載の学習指導方法において、ネットワークに接続される書籍データベースが、学習用書籍を示す１つ以上の書籍情報を格納する書籍情報格納工程と、書籍データベースが、アドバイス送信工程により送信されたアドバイス情報に含まれる購読を推薦する学習用書籍に対応する書籍情報を、１つ以上の書籍情報から抽出する書籍情報抽出工程と、書籍データベースが、書籍情報抽出工程により抽出した書籍情報をユーザ端末装置に送信する書籍情報送信工程と、を有することを特徴とする。
【００３２】
また、請求項２１記載の発明によれば、請求項２０記載の学習指導方法において、ネットワークに接続される書店情報データベースが、学習用書籍を販売する店舗に関する１つ以上の書店情報を格納する書店情報格納工程と、書店情報データベースが、書籍情報送信工程により送信された書籍情報に含まれる学習用書籍を販売する店舗に関する書店情報を、１つ以上の書店情報から抽出する書店情報抽出工程と、書店情報データベースが、書店情報抽出工程により抽出した書店情報をユーザ端末装置に送信する書店情報送信工程と、を有することを特徴とする。
【００３３】
また、請求項２２記載の発明は、１つ以上の試験問題を示す試験問題情報を格納する試験問題格納処理と、試験問題格納処理により格納された試験問題情報を出力する試験問題出力処理と、試験問題出力処理により出力された試験問題情報に対するユーザによる解答を示す解答情報を入力する解答入力処理と、解答入力処理により入力された解答情報に基づいて、出力した試験問題情報における各分野の解答の正答率を示す正答率情報を出力する正答率出力処理と、正答率出力処理により出力された正答率情報に基づいて、ユーザに対する学習方法のアドバイスおよびユーザに購読を推薦する学習用書籍を示すアドバイス情報を作成するアドバイス作成処理と、をコンピュータに実行させることを特徴とする。
【００３４】
また、請求項２３記載の発明によれば、請求項２２記載のプログラムにおいて、学習用書籍を示す１つ以上の書籍情報を格納する書籍情報格納処理と、アドバイス作成処理により作成されたアドバイス情報に含まれる購読を推薦する学習用書籍に対応する書籍情報を、１つ以上の書籍情報から抽出する書籍情報抽出処理と、をコンピュータに実行させることを特徴とする。
【００３５】
また、請求項２４記載の発明によれば、請求項２３記載のプログラムにおいて、学習用書籍を販売する店舗に関する１つ以上の書店情報を格納する書店情報格納処理と、書籍情報抽出処理により抽出された書籍情報に含まれる学習用書籍を販売する店舗に関する書店情報を、１つ以上の書店情報から抽出する書店情報抽出処理と、をコンピュータに実行させることを特徴とする。
【００３６】
【発明の実施の形態】
（第１の実施形態）
本実施形態において、健康管理システムは、あらかじめ登録を行った会員が、その日一日の歩いた歩数を携帯電話から登録し、その記録をもとに、カウンセリング担当者（カウンセラーまたはカウンセリング端末）が、会員に食事のメニューおよび健康管理の方法を提供するものである。
【００３７】
図１は、本発明の第１の実施形態における健康管理システムの構成を示す図である。以下、図１を用いて、本実施形態における健康管理システムの構成および動作について説明する。
【００３８】
健康管理システムは、ユーザ端末１と、顧客管理情報ＤＢ（データベース）２と、カウンセリング端末３と、食事メニューＤＢ（データベース）４と、スーパー情報ＤＢ（データベース）５と、配送センタＤＢ（データベース）６と、ネットワーク（インターネット）７と、を有する。
【００３９】
ユーザ端末１は、健康管理システムを利用する会員（ユーザ）により操作される情報処理装置であって、情報の入力機能、情報の送受信機能、インターネットへの接続機能、電子メールの送受信機能、およびＷｅｂページ／電子メール表示機能などを有する。ユーザ端末１は、携帯電話機であってもよいし、パーソナルコンピュータまたはＰＤＡ端末であってもよい。ユーザ端末１は、顧客管理情報ＤＢ２、食事メニューＤＢ４、スーパー情報ＤＢ５にアクセスし、会員の情報、食事メニューなどを得ることができる。
【００４０】
顧客管理情報ＤＢ２は、情報の記録装置であって、情報の送受信機能などを有する。顧客管理情報ＤＢ２は、会員の名前、住所、電話番号、年齢、および性別といったパーソナル情報と、実績歩数の記録、カウンセリングのアドバイス、会員の購入代金および商品リストなどの情報を蓄積する。
【００４１】
カウンセリング端末３は、健康管理システムを利用する会員に健康および食事メニューのアドバイスを行うカウンセラーにより操作される情報処理装置である。また、カウンセリング端末３は、会員情報と歩数の情報を受信機能、情報の入力機能、情報の送受信機能、インターネットへの接続機能、電子メールの送受信機能を有する。また、カウンセリング端末３は、顧客管理情報ＤＢ２に格納されている各会員の健康状態および歩いた歩数に基づいて、各会員に対する健康および食事メニューのアドバイスを示すアドバイス情報を作成する。なお、カウンセリング端末３は、パーソナルコンピュータであってもよいし、ＰＤＡ端末、または携帯電話であってもよい。
【００４２】
食事メニューＤＢ４は、情報の記録装置であって、情報の送受信機能などを有する。食事メニューＤＢ４は、食事のメニューリスト、および食事のメニューのレシピを、アドバイス情報をキーとして保持する。なお、食事メニューのレシピ情報には、その食事メニューの材料（食材）、作り方、およびカロリーなどに関する情報が含まれる。
【００４３】
スーパー情報ＤＢ５は、情報の記録装置であって、情報の送受信機能などを有する。スーパー情報ＤＢ５は、提携しているスーパーマーケット（店舗）の名前、スーパーマーケットの住所、およびスーパーマーケットで販売されている商品リスト（値段を含む）を示す情報を互いに対応付けて市町村別に保持しており、スーパーマーケットの住所と顧客の住所とのマッチングを行う。また、各スーパーマーケットの従業員などは、スーパー情報ＤＢ５に接続されている端末を用いて、商品リストなどを書き換えることができる。
【００４４】
配送センタＤＢ６は、店舗において販売されている商品の配送を行う配送センタが管理する情報の記録装置であって、情報の送受信機能などを有する。配送センタＤＢ６は、購入した食材の配送状況を管理するＤＢである。
【００４５】
顧客管理情報ＤＢ２、食事メニューＤＢ４、スーパー情報ＤＢ５、配送センタＤＢ６は、健康管理システムが有する各端末からアクセスすることができる。また、スーパー情報ＤＢ５は、スーパーマーケットに設置されている端末から、配送センタＤＢ６は、配送業者に設置されている端末から、食事メニューＤＢ４は、カウンセリング端末３よりアクセス可能である。
【００４６】
まず、ユーザが自身の情報を顧客管理情報ＤＢ２に登録していない場合は、健康管理システムにより提供されるネットワークサービスである医食住ネットを利用するために自身の情報を顧客管理情報ＤＢ２に新規登録する必要がある。図２は、本発明の第１の実施形態の健康管理システムにおける会員の情報の新規登録動作を示す図である。以下、図２を用いて、本実施形態における会員に係る情報の新規登録動作について説明する。
【００４７】
図２に示されているように、情報登録画面８上には、「１．新着情報」、「２．新規登録」、「３．登録内容変更／削除」、「４．お問い合わせ」の４つの項目が示されている。
【００４８】
ユーザ端末１は、「２．新規登録」を選択して、図２に示されているような、「名前」、「住所」、「電話番号」、「メールアドレス」、「年齢」、「性別」、「健康に関するアンケート」といった会員に係る情報を入力し、顧客管理情報ＤＢ２に送信してユーザの個人情報を顧客管理情報ＤＢ２に登録する。なお、「健康に関するアンケート」には、「現在の身長・体重・血圧は？」、または「現在の体調は？」などの健康に関する数項目の質問が示されており、ユーザ端末１は、上記の質問に対する答えを入力する。図２に示されているように、会員に係る情報が顧客管理情報ＤＢ２に登録されると、顧客管理情報ＤＢ２は、情報が登録された会員に対して会員番号およびパスワードを発行し、発行した会員番号およびパスワードをユーザ端末１に送信する。なお、会員番号およびパスワードは、所定の文字列を示す情報であるとしてもよい。
【００４９】
また、ユーザ端末１は、情報登録画面８上の「３．登録内容変更／削除」を選択し、所定の入力を行うと、すでに登録済みの会員に係る情報を変更／削除することが可能となる。
【００５０】
図３、図４、および図５は、本発明の第１の実施形態における健康管理システムによる動作の流れを示すフローチャートである。以下、図１を用い、図３、図４、および図５に沿って、本実施形態における健康管理システムによる動作について説明する。
【００５１】
会員は、ユーザ端末１を用いて、会員番号およびパスワードを入力して、顧客管理情報ＤＢ２へアクセスし、健康管理システムにより提供されるネットワークサービスである医食住ネットにログインする（ステップＳ１）。
【００５２】
ログインに成功すると、ユーザ端末１は、顧客管理情報ＤＢ２に格納されている各種コンテンツを画面に表示する（ステップＳ２）。
【００５３】
ユーザ端末１は、会員が歩いた歩数を入力するための歩数入力画面を表示し、歩数入力画面上の歩数入力欄に、所定の時期に歩いた歩数（例えば、今日１日で歩いた歩数）を入力（登録）し、入力した歩数を示す情報を顧客管理情報ＤＢ２に送信する（ステップＳ３）。
【００５４】
図６は、本発明の第１の実施形態の健康管理システムにおける歩数入力動作を示す図である。図５に示されているように、ユーザ端末１は、所定期間ごとに（例えば毎日）、会員番号、会員が歩いた歩数、および医食住ネットにログインする際に認証されるパスワードを入力し、顧客管理情報ＤＢ２に送信する。また、歩数を入力するための歩数入力画面９には、歩数入力欄とともに、所定期間における累積歩数（例えば、今月に入ってからの累積歩数）、健康管理システムを利用する全会員中の累積歩数の順位などが示されるとしてもよい。また、図６に示されているように、会員が仮想のコース上を歩いているとして、「目的地まであと○○歩」というように、会員による仮想コース上の歩行の達成度を、歩数入力画面９上に示すようにしてもよい。
【００５５】
顧客管理情報ＤＢ２は、ユーザ端末１から歩数情報を受信すると（ステップＳ４）、歩数情報とともにユーザ端末１から受信した会員番号と、受信した会員番号に対応する会員登録者識別情報と、を用いて、会員情報を生成する（ステップＳ５）。会員登録者識別情報とは、顧客管理情報ＤＢ２内に格納されている各会員の健康状態を示す情報であって、新規登録時に入力された「健康に関するアンケート」に基づいて顧客管理情報ＤＢ２により作成される情報である。また、会員情報とは、会員番号、および会員の健康状態を示す情報を含む情報を示す。
【００５６】
次に、顧客管理情報ＤＢ２は、ユーザ端末１から受信した歩数情報と、作成した会員情報と、をカウンセリング端末３に送信する（ステップＳ６）。
【００５７】
カウンセリング端末３は、顧客管理情報ＤＢ２から歩数情報および会員情報を受信すると（ステップＳ７）、受信した歩数情報および会員情報（会員の年齢、性別、身長、体重、血圧、その他の健康状態を示す情報）に基づいて、歩数情報および会員情報を送った会員の健康および食事メニューへのアドバイスを示すアドバイス情報を作成する（ステップＳ８）。
【００５８】
例えば、カウンセリング端末３は、会員が肥満であることを示す会員情報と、会員の運動不足（歩数が所定の値よりも少ない）を示す歩数情報と、を受信すると、より多くの歩行運動、および低カロリーの食事メニューの摂取を促すことを示すアドバイス情報を作成するとしてもよい。また、例えば、カウンセリング端末３は、会員の健康状態が良好であることを示す会員情報と、会員が十分な運動を行っていること（歩数が所定の値よりも多い）を示す歩数情報と、を受信すると、現在の状態の維持、および年齢・性別などに応じた一般的な食事メニューの摂取を促す旨のアドバイス情報を作成するとしてもよい。
【００５９】
なお、カウンセリング端末３が会員情報および歩数情報を受信すると、カウンセリング端末３を管理するカウンセラーは、その受信された会員情報および歩数情報をもとに健康と食事メニューのアドバイスを作成し、カウンセリング端末３に入力するとしてもよい。
【００６０】
次に、カウンセリング端末３は、作成したアドバイス情報をユーザ端末１および顧客管理情報ＤＢ２へ送信する（ステップＳ９）。
【００６１】
顧客管理情報ＤＢ２は、カウンセリング端末３からアドバイス情報を受信すると（ステップＳ１０）、受信したアドバイス情報の内容を会員ごとに登録する（ステップＳ１１）。
【００６２】
また、ユーザ端末１は、カウンセリング端末３からアドバイス情報を受信すると（ステップＳ１２）、ユーザ端末１は、受信したアドバイス情報を表示し、会員は、受信したアドバイスをユーザ端末１で見ることが可能となる。
【００６３】
図７は、本発明の第１の実施形態におけるユーザ端末１に表示される歩数のグラフを示す画面図である。ユーザ端末１は、カウンセリング端末３からアドバイス情報を受信すると、図７に示されるような会員が所定期間内に歩いた歩数を示すグラフを表示する。なお、会員の歩いた歩数を示す情報は、図７に示されるものに限定されないものとする。
【００６４】
また、ユーザ端末１は、カウンセリング端末３からアドバイス情報を受信すると、会員に対する健康および食事メニューのアドバイスを示す情報を表示する。図８は、本発明の第１の実施形態におけるユーザ端末１に表示される健康および食事メニューのアドバイスを示す画面図である。なお、図８には、示されていないが、カウンセリング端末３は、会員に発症する可能性が高い病気の予防方法および対処方法を示す情報をユーザ端末１に送信し、ユーザ端末１はその情報を表示するようにしてもよい。
【００６５】
また、アドバイスを示す情報には、カウンセリング端末３（カウンセラー）が会員に薦める食事メニュー情報が保持されている場所を示すＵＲＬ（Ｕｎｉｆｏｒｍ　Ｒｅｓｏｕｒｃｅ　Ｌｏｃａｔｏｒｓ）が含まれている。ユーザ端末１は、自身に設けられている所定のキーで図８に「食事メニューへ」と示されているＧＵＩ（Ｇｒａｐｈｉｃａｌ　Ｕｓｅｒ　Ｉｎｔｅｒｆａｃｅ）部品（アイコン）を選択すると、食事メニューＤＢ４へアクセスを行う（ステップＳ１３）。
【００６６】
食事メニューＤＢ４は、ユーザ端末１からのアクセスを受けると、自ＤＢに蓄積されている１つ以上の食事メニューのレシピ情報から、ユーザ端末１により指定されたＵＲＬに対応するレシピ情報を抽出する。食事メニューＤＢ４は、抽出したレシピ情報の料理の一覧を示す情報を作成し、ユーザ端末１に送信する（ステップＳ１４）。
【００６７】
なお、各レシピ情報は、予めカウンセラーが、各健康状態および運動量（歩数）を考慮してカウンセリング端末３を用いて作成したものである。例えば、血圧が高めの会員のために塩分が少な目の料理のレシピといったように、各会員の多様な健康状態および日頃の運動量（歩数）に応じた様々なレシピ情報が、食事メニューＤＢ４に格納されている。
【００６８】
また、会員は、ユーザ端末１を用いて、自身で考案した料理のレシピをデジタルデータで作成し、食事メニューＤＢ４に送信し、登録することも可能である。会員は、自身が保持する端末を用いて、食事メニューＤＢ４にアクセスしてカウンセラーおよび他の会員が作成した料理のレシピの閲覧が可能である。各会員およびカウンセラーが作成した料理のレシピを食事メニューＤＢ４に登録することにより、医食住ネットを用いた食事メニューコンテストなどを開催することができる。また、会員以外の一般のユーザも、会員およびカウンセラーが作成した料理のレシピを閲覧できるとしてもよい。
【００６９】
図９は、本発明の第１の実施形態におけるユーザ端末１に表示される料理の一覧の画面図である。図９には、会員の現在の健康状態および歩数に応じた料理の一覧が示されている。ユーザ端末１は、食事メニューＤＢ４にアクセスを行うと、図９に示されるような料理の一覧を表示する。ユーザ端末１は、自身に設けられている所定のキーにより所定の料理名のアイコンを選択すると、選択された料理のレシピ情報の配信要求を食事メニューＤＢ４に送信する。
【００７０】
食事メニューＤＢ４は、ユーザ端末１から所定の料理のレシピ情報の配信要求を受信すると、自身に蓄積されている１つ以上のレシピ情報から、指定されたレシピ情報を抽出し、ユーザ端末１に送信する。
【００７１】
ユーザ端末１は、食事メニューＤＢ４からレシピ情報を受信すると、受信したレシピ情報を表示する。図１０は、本発明の第１の実施形態におけるユーザ端末１が表示するレシピ情報を示す画面図である。図１０には、料理の材料および作り方などが示されている。
【００７２】
また、ユーザ端末１は、レシピ情報とともに、そのレシピ内の料理の材料の値段情報の場所を示すＵＲＬを食事メニューＤＢ４から受け取るとしてもよく、図１０に示されるレシピ情報の画面上に、さらにスーパー情報ＤＢ５にアクセスするためのＧＵＩ部品（アイコン）が設けられているとしてもよい。ユーザ端末１は、自身に設けられているキーで、レシピ情報上のアイコンを選択すると、現在閲覧しているレシピ情報における料理の材料、および会員の住所などを示す情報をスーパー情報ＤＢ５に送信し、アクセスを行う（ステップＳ１５）。
【００７３】
スーパー情報ＤＢ５は、ユーザ端末１からアクセス要求を受信すると、自ＤＢに蓄積されている各料理の材料の値段情報から、指定された料理の材料の値段情報を抽出し、抽出した値段情報を用いて、各材料の値段の一覧が示されている食材情報を作成する。スーパー情報ＤＢ５は、作成した食材情報をユーザ端末１に送信する（ステップＳ１６）。
【００７４】
なお、スーパー情報ＤＢ５は、ある食材を販売する店舗名を、会員の住所に近いものから順に並べて食材情報を作成するとしてもよい。また、スーパー情報ＤＢ５は、食材の値段が安価なものから順に並べて食材情報を作成するとしてもよい。また、ユーザ端末１は、店舗名を並べる基準（例えば、店舗の住所の近さ、または食材の価格など）を指定できるとしてもよい。
【００７５】
また、スーパー情報ＤＢ５は、食材を販売する店舗ごとに、食材の値段、店舗の住所、店舗の電話番号、および会員の住所から店舗までの交通手段（地図、移動時間を含む）などの情報が示された食材情報を作成するとしてもよい。
【００７６】
ユーザ端末１は、スーパー情報ＤＢ５から食材情報を受信すると（ステップＳ１７）、受信した食材情報を表示する。
【００７７】
図１１は、本発明の第１の実施形態におけるユーザ端末１により表示される食材情報を示す画面図である。図１１には、ユーザ端末１が受信したレシピ情報における食材の値段が示されている。会員は、受信したレシピの食事を作る場合、医食住ネットと契約しているスーパーマーケットの中で、会員の住所に近い場所にあるスーパーマーケットにおける各メニューに必要な材料の値段を示す情報を受け取ることができる。
【００７８】
ユーザ端末１は、食材情報の中から購入する食材を選択して、選択した食材を示す情報である購入する食材リストを作成する（ステップＳ１８）。次に、ユーザ端末１は、作成した食材リストを顧客管理情報ＤＢ２およびスーパー情報ＤＢ５へ送信する（ステップＳ１９）。
【００７９】
顧客管理情報ＤＢ２は、食材リストをユーザ端末１から受信すると（ステップＳ２０）、該当する会員の情報に対応付けて、受信した食材リストを保持する。
【００８０】
スーパー情報ＤＢ５は、食材リストをユーザ端末１から受信すると（ステップＳ２１）、食材リスト上の商品（食材）配送依頼を配送センタＤＢ６に送信する（ステップＳ２２）。
【００８１】
配送センタＤＢ６は、スーパー情報ＤＢ５から商品配送依頼を受信すると（ステップＳ２３）、受信した商品配送依頼を会員ごとに登録する。配送センタは、配送依頼された食材を、ユーザ端末１により指定された店舗から集荷して、会員への出荷の準備を行う。配送センタＤＢ６は、食材の出荷の準備が整い次第、食材の出荷を開始する旨の出荷開始メッセージをユーザ端末１、顧客管理情報ＤＢ２、およびスーパー情報ＤＢ５に送信する（ステップＳ２４）。
【００８２】
ユーザ端末１、顧客管理情報ＤＢ２、およびスーパー情報ＤＢ５は、配送センタＤＢ６から出荷開始メッセージを受信する（ステップＳ２５、Ｓ２６、Ｓ２７）。
【００８３】
配送センタＤＢ６は、会員が食材を受け取った旨の通知を、ネットワーク７に接続され、食材の配送を行った業者が操作する端末装置から受信すると、出荷が完了したと判断し、食材の出荷が完了した旨の出荷完了メッセージをユーザ端末１、顧客管理情報ＤＢ２、およびスーパー情報ＤＢ５に送信する（ステップＳ２８）。
【００８４】
ユーザ端末１、顧客管理情報ＤＢ２、およびスーパー情報ＤＢ５は、配送センタＤＢ６から出荷完了メッセージを受信する（ステップＳ２９、Ｓ３０、Ｓ３１）。
【００８５】
顧客管理情報ＤＢ２は、出荷完了メッセージに含まれる会員が購入した商品と代金を自ＤＢに登録して、指定された日に商品の料金支払い請求を示す情報をユーザ端末１に送信する（ステップＳ３２）。
【００８６】
なお、ユーザ端末１は、例えば図６、図８、および図９に示されるようにブラウザを用いて各ＤＢに格納されているＷｅｂページを自身の画面上に表示させてもよい。また、ユーザ端末１は、Ｊａｖａ（登録商標）プログラムを利用する機能を有しているとしてよい。その場合、ユーザ端末１は、顧客管理情報ＤＢ２から図６、図８、および図９などに示される画面情報の表示を行うＪａｖａ（登録商標）プログラム（Ｊａｖａ（登録商標）アプレット）をダウンロードし、ブラウザでＪａｖａ（登録商標）プログラムを利用して情報（歩数情報・健康情報など）の送受信および表示を行うとしてもよい。また、ユーザ端末１は、電子メールを用いて歩数情報・健康情報などの情報の送受信を行うとしてもよい。
【００８７】
また、顧客管理情報ＤＢ２は、医療および病気に関する情報を保持しており、ユーザ端末１は、医食住ネットに係る画面（例えば情報登録画面８）上に、顧客管理情報ＤＢ２から受信した医療および病気に係る情報を表示してもよい。
【００８８】
また、カウンセリング端末３が、様々な医療および病気に関するデータを保持しているとしてもよい。その場合、カウンセリング端末３は、会員情報および歩数情報に基づいて、会員が発症する可能性の高い病気を出力し、医療および病気に係る情報（出力した病気の情報を含む）をユーザ端末１に送信するとしてもよい。ユーザ端末１は、医食住ネットに係る画面（例えば情報登録画面８）上に、カウンセリング端末３から受信した医療および病気に係る情報を表示する。
【００８９】
ユーザ端末１は、画面上に医療および病気に係る情報を表示することにより、会員は、会員本人または会員の周囲で急病などの不測の事態が起きた場合に迅速に応急処置を行うことが可能となる。また、ユーザ端末１は、医療および病気に係る情報が表示される画面をポータルサイトとすることにより、会員は、より迅速に急病などに対して処置を行うことが可能となる。
【００９０】
また、顧客管理情報ＤＢ２、スーパー情報ＤＢ５、または配送センタＤＢ６は、病院、食材を販売する店舗、および食材を配送する配送業者などの広告情報を保持するとしてもよい。その場合、ユーザ端末１は、広告情報を保持するデータベースから広告情報を受信し、医食住ネットに係る画面（例えば情報登録画面８）上に表示する。医食住ネットのサービス提供者は、広告掲載の対価として広告を掲載した病院、店舗、および会社から広告料金を徴収する。従って、医食住ネットのサービス提供者は、広告における収入を期待することができ、医食住ネットの運営費とすることが可能となる。なお、ユーザ端末１のポータルサイトに上記の広告情報を表示することにより、広告効果をさらに高めることが可能となる。
【００９１】
また、医食住ネットのサービス提供者は、食材を販売する店舗および食材を配送する配送業者から医食住ネットの会費を徴収するとしてもよい。その場合、医食住ネットのサービス提供者は、徴収した会費を医食住ネットの運営費とすることが可能となる。
【００９２】
以上説明したように、本実施形態によれば、健康管理システムは、会員の健康状態および会員が歩いた歩数に基づいて、健康および食事メニューのアドバイスを示す情報を会員に提供する。従って、会員は、医食同源という言葉があるように、医と食の両方から自己管理を行うことにより、健康を管理することが可能となる。
【００９３】
また、本実施形態によれば、健康管理システムは、会員の住所の近隣の医食住ネットと提携している店舗において販売されている料理の食材の値段を示す情報を会員に提供する。従って、会員は、提供された食事メニューの食材を安価で、近くの店舗で購買することが可能となる。また、食材を販売する店舗は、より多くの顧客を獲得することが可能となる。
【００９４】
また、本実施形態によれば、配送センタは、ユーザ端末１により指定された食材の配送を行う。従って、会員は、食材を購買するために外出する必要はなく、容易に食材を取得することが可能となる。また、配送センタは、より多くの顧客を獲得することが可能となる。
【００９５】
（第２の実施形態）
本実施形態において、学習指導システムは、あらかじめ登録を行った会員から送られた試験問題の解答を採点し、その採点結果をもとに、学習カウンセリング担当者またはカウンセリング端末が、会員に学習方法のアドバイスを提供するものである。
【００９６】
図１２は、本発明の第２の実施形態における学習指導システムの構成を示す図である。以下、図１２を用いて、本実施形態における学習指導システムの構成および動作について説明する。
【００９７】
学習指導システムは、ユーザ端末１１と、顧客管理情報ＤＢ（データベース）１２と、学習アドバイス端末１３と、書籍ＤＢ（データベース）１４と、書店情報ＤＢ（データベース）１５と、配送センタＤＢ（データベース）１６と、ネットワーク（インターネット）１７と、を有する。
【００９８】
ユーザ端末１１は、学習指導システムを利用する会員（ユーザ）により操作される情報処理装置であって、情報の入力機能、情報の送受信機能、インターネットへの接続機能、電子メールの送受信機能、およびＷｅｂページ／電子メール表示機能などを有する。ユーザ端末１１は、携帯電話機であってもよいし、パーソナルコンピュータまたはＰＤＡ端末であってもよい。ユーザ端末１１は、顧客管理情報ＤＢ１２、書籍ＤＢ１４、書店情報ＤＢ１５にアクセスし、会員の情報、学習方法に対するアドバイスなどを得ることができる。
【００９９】
顧客管理情報ＤＢ１２は、情報の記録装置であって、情報の送受信機能などを有する。顧客管理情報ＤＢ１２は、会員の名前、住所、電話番号、年齢、および性別といったパーソナル情報と、会員が受けた試験の試験結果（採点結果）の記録、会員が受験しようとしている対象（学校名、資格名）、カウンセリングのアドバイス、会員の購入代金および商品リストなどの情報を蓄積する。また、顧客管理情報ＤＢ１２は、１つ以上の試験問題情報を蓄積する。試験問題情報とは、試験問題文および試験問題解答欄をユーザ端末１に表示するための画面情報である。
【０１００】
学習アドバイス端末１３は、学習指導システムを利用する会員に学習方法のアドバイスを行うカウンセラーにより操作される情報処理装置である。また、学習アドバイス端末１３は、会員情報と試験の採点結果（正答率）の情報を受信する機能、情報の入力機能、情報の送受信機能、インターネットへの接続機能、および電子メールの送受信機能を有する。また、学習アドバイス端末１３は、顧客管理情報ＤＢ１２に格納されている各会員の試験結果および受験対象などに基づいて、各会員に対する学習方法のアドバイスを示すアドバイス情報を作成する。なお、学習アドバイス端末１３は、パーソナルコンピュータであってもよいし、ＰＤＡ端末、または携帯電話であってもよい。
【０１０１】
書籍ＤＢ１４は、情報の記録装置であって、情報の送受信機能などを有する。書籍ＤＢ１４は、書籍（参考書、受験書など）に関する情報（出版社など）を、アドバイス情報または書籍の内容を理解するための難易度をキーとして保持する。
【０１０２】
書店情報ＤＢ１５は、情報の記録装置であって、情報の送受信機能などを有する。書店情報ＤＢ１５は、提携している書店（書籍を販売する店舗）の名前、書店の住所、および書店で販売されている商品リスト（値段を含む）を示す情報を互いに対応付けて市町村別に保持しており、顧客の住所とマッチングを行う。また、各書店の従業員などは、書店情報ＤＢ１５に接続されている端末を用いて、商品リストなどを書き換えることができる。
【０１０３】
配送センタＤＢ１６は、店舗において販売されている商品の配送を行う配送業者である配送センタが管理する情報の記録装置であって、情報の送受信機能などを有する。配送センタＤＢ１６は、会員により購入された書籍の配送状況を管理するＤＢである。
【０１０４】
顧客管理情報ＤＢ１２、書籍ＤＢ１４、書店情報ＤＢ１５、配送センタＤＢ１６は、ネットワーク１７に接続されている下記の各端末からアクセスすることができる。書店情報ＤＢ１５は、書店に設置されている端末から、配送センタＤＢ１６は、配送業者に設置されている端末から、書籍ＤＢ１４は、学習アドバイス端末１３よりアクセス可能である。
【０１０５】
まず、ユーザが自身の情報を顧客管理情報ＤＢ１２に登録していない場合は、学習指導システム（学習指導サービス提供者）が提供する学習指導サービスを利用するために自身の情報を顧客管理情報ＤＢ１２に新規登録する必要がある。図１３は、本発明の第２の実施形態の学習指導システムにおける会員の情報の新規登録動作を示す図である。以下、図１３を用いて、本実施形態における会員に係る情報の新規登録動作について説明する。
【０１０６】
図１３に示されているように、情報登録画面８上には、「１．新着情報」、「２．新規登録」、「３．登録内容変更／削除」、「４．お問い合わせ」の４つの項目が示されている。
【０１０７】
ユーザ端末１１は、「２．新規登録」を選択して、図１３に示されているような、「名前」、「住所」、「電話番号」、「メールアドレス」、「年齢」、「性別」、「受験対象」、および「学習に関するアンケート」といった会員に係る情報を入力し、顧客管理情報ＤＢ１２に送信して登録する。なお、「学習に関するアンケート」には、「あなたの得意・不得意な学習科目は？」、または「現在の学習時間は？」などの学習に関する数項目の質問が示されており、ユーザ端末１１は、上記の質問に対する答えを入力する。図２に示されているように、会員に係る情報が顧客管理情報ＤＢ１２に登録されると、顧客管理情報ＤＢ１２は、情報が登録された会員に対して会員番号およびパスワードを発行し、発行した会員番号およびパスワードをユーザ端末１１に送信する。なお、会員番号およびパスワードは、所定の文字列を示す情報であるとしてもよい。
【０１０８】
また、ユーザ端末１１は、情報登録画面１８上の「３．登録内容変更／削除」を選択し、所定の入力を行うと、すでに登録済みの会員に係る情報を変更／削除することが可能となる。
【０１０９】
図１４、図１５、および図１６は、本発明の第２の実施形態における学習指導システムによる動作の流れを示すフローチャートである。以下、図１２を用い、図１４、図１５、および図１６に沿って、本実施形態における学習指導システムによる動作について説明する。
【０１１０】
会員は、ユーザ端末１１を用いて、会員番号およびパスワードを入力して、顧客管理情報ＤＢ１２へアクセスし、学習指導システムにより提供されるネットワークサービスである学習指導サービスにログインする（ステップＳ１０１）。
【０１１１】
ログインに成功すると、顧客管理情報ＤＢ１２は、自ＤＢに格納されている試験問題情報をユーザ端末１１に送信する（ステップＳ１０２）。
【０１１２】
ユーザ端末１１は、試験問題情報を受信すると、試験問題の内容を示す画面および試験問題の解答を入力するための解答入力画面１９を表示し（ステップＳ１０３）、解答入力画面１９上の解答入力欄に、解答を入力し、入力した解答を示す解答情報を顧客管理情報ＤＢ１２に送信する（ステップＳ１０４）。なお、試験問題の内容および解答欄は同一画面上に表示されるとしてもよい。
【０１１３】
図１７は、本発明の第２の実施形態の学習指導システムにおける解答入力動作を示す図である。図１７に示されているように、ユーザ端末１１は、会員番号、解答情報、および学習指導サービスにログインする際に認証されるパスワードを入力し、顧客管理情報ＤＢ１２に送信する。また、解答入力画面１９には、解答入力欄とともに、過去の試験結果（会員個人および全体平均）、学習指導システムを利用する全会員中の試験結果の順位などが示されるとしてもよい。また、「試験合格まであと○○点」というように、会員が取った試験の点数に基づく合格目標の達成度を、解答入力画面１９上に示すようにしてもよい。
【０１１４】
顧客管理情報ＤＢ１２は、ユーザ端末１１から解答情報を受信すると（ステップＳ１０５）、受信した解答の採点を行い、試験問題における各分野（例えば、数学の試験問題であれば微分積分の分野など）の正答率情報を算出する（ステップＳ１０６）。
【０１１５】
顧客管理情報ＤＢ１２は、解答情報とともにユーザ端末１１から受信した会員番号と、受信した会員番号に対応する会員登録者識別情報と、を用いて、会員情報を生成する。会員登録者識別情報とは、新規登録時に入力された「学習に関するアンケート」に基づいて顧客管理情報ＤＢ１２により作成される会員の現在の学習方針を示す情報であって、顧客管理情報ＤＢ１２内に格納されている。また、会員情報とは、会員番号、および現在の学習方針を示す情報を含む情報を示す。
【０１１６】
次に、顧客管理情報ＤＢ１２は、正答率情報および会員情報を学習アドバイス端末１３に送信する（ステップＳ１０７）。
【０１１７】
学習アドバイス端末１３は、顧客管理情報ＤＢ１２から正答率情報および会員情報を受信すると（ステップＳ１０８）、受信した正答率情報および会員情報（会員の年齢、性別、その他の学習方法に関する情報）に基づいて、会員の試験結果、学習方法のアドバイス、およびユーザに推薦する学習用書籍を示すアドバイス情報を作成する（ステップＳ１０９）。
【０１１８】
例えば、学習アドバイス端末１３は、正答率情報を参照して、会員の得意分野および不得意分野を検出し、不得意分野の学習を重点的に行うことを促すような学習方法のアドバイスを含むアドバイス情報を作成するとしてもよい。
【０１１９】
また、学習アドバイス端末１３は、会員情報に含まれる会員が受験する対象（学校、資格）を顧客管理情報ＤＢ１２から抽出して、正答率情報および受験対象に基づいて、会員が受験対象に合格する可能性の度合いを示すアドバイス情報を作成してもよい。
【０１２０】
また、学習アドバイス端末１３は、会員の得意分野には高度な内容の学習用書籍を推薦し、会員の不得意分野には入門用の平易な内容の学習用書籍を推薦する内容のアドバイス情報を作成するとしてもよい。
【０１２１】
また、学習アドバイス端末１３は、得意分野に関連する他の分野の学習を勧める内容のアドバイス情報を作成するとしてもよい。その場合、学習アドバイス端末１３は、各学習分野（例えば、物理、化学、民法、刑法、社会学、政治学など）間における内容の近似度を示す情報を保持している。例を挙げると、学習アドバイス端末１３は、会員が社会学の分野で高得点であった場合、社会学と内容の近似度が高い学習分野（例えば、政治学）の学習を勧め、その社会学と内容が近い学習分野の書籍を推薦する内容のアドバイス情報を作成するとしてもよい。
【０１２２】
なお、学習アドバイス端末１３が会員情報および正答率情報を受信すると、学習アドバイス端末１３を管理するカウンセラーは、その受信された会員情報および正答率情報をもとにアドバイス情報を作成し、学習アドバイス端末１３に入力するとしてもよい。
【０１２３】
次に、学習アドバイス端末１３は、作成したアドバイス情報をユーザ端末１１および顧客管理情報ＤＢ１２へ送信する（ステップＳ１１０）。
【０１２４】
顧客管理情報ＤＢ１２は、学習アドバイス端末１３からアドバイス情報を受信すると（ステップＳ１１１）、受信したアドバイス情報の内容を会員ごとに登録する（ステップＳ１１２）。
【０１２５】
また、ユーザ端末１１は、学習アドバイス端末１３からアドバイス情報を受信すると（ステップＳ１１３）、ユーザ端末１１は、受信したアドバイス情報を表示し、会員は、受信したアドバイスをユーザ端末１１で見ることが可能となる。
【０１２６】
図１８は、本発明の第２の実施形態におけるユーザ端末１１に表示される試験結果のグラフを示す画面図である。ユーザ端末１１は、学習アドバイス端末１３からアドバイス情報を受信すると、図１８に示されるような会員が今までに受けた試験の結果を示すグラフを表示する。なお、試験結果を示す情報は、図１８に示されるものに限定されないものとする。
【０１２７】
また、ユーザ端末１１は、学習アドバイス端末１３からアドバイス情報を受信すると、会員に対する学習方法のアドバイスおよび試験結果を示す情報を表示する。図１９は、本発明の第２の実施形態におけるユーザ端末１１に表示される学習方法のアドバイスおよび試験結果を示す画面図である。図１９に示されているように、ユーザ端末１１は、アドバイス情報を受信すると、試験結果（点数）および学習方法のアドバイス（会員の得意分野・不得意分野の指摘、今後の学習方法など）を表示する。
【０１２８】
また、アドバイスを示す情報には、学習アドバイス端末１３（カウンセラー）が会員に購読を薦める学習用書籍を示す情報（例えば、購読を薦める学習用書籍の情報が保持されている場所を示すＵＲＬ）が含まれている。ユーザ端末１１は、自身に設けられている所定のキーで図１９の分野名ごとに設けられているＧＵＩ部品（アイコン）のうちの１つを選択すると、書籍ＤＢ１４へアクセスを行う（ステップＳ１１４）。
【０１２９】
書籍ＤＢ１４は、ユーザ端末１１からのアクセス要求を受信すると、自ＤＢに蓄積されている１つ以上の書籍情報から、ユーザ端末１１により指定されたＵＲＬに対応する書籍情報を抽出する。書籍ＤＢ１４は、抽出した書籍情報をまとめて、該当する書籍の一覧を示す書籍一覧情報を作成し、ユーザ端末１１に送信する（ステップＳ１１５）。
【０１３０】
なお、各書籍情報は、予めカウンセラーが、各書籍の内容の難易度を考慮して学習アドバイス端末１３を用いて作成したものである。例えば、内容の理解度が低い（試験の点数が低い）会員のために内容が平易な書籍、内容の理解度が高い（試験の点数が高い）会員のために高度な内容の書籍といったように、各会員の多様な学習理解度に応じた様々な書籍に関する情報が、学習分野ごとに書籍ＤＢ１４に格納されている。
【０１３１】
図２０は、本発明の第２の実施形態におけるユーザ端末１１に表示される書籍の一覧の画面図である。図２０には、会員の現在の学習理解度（試験結果）に応じた書籍の一覧が示されている。ユーザ端末１１は、書籍ＤＢ１４にアクセスを行うと（ステップＳ１１４）、図２０に示されるような書籍の一覧を表示する（ステップＳ１１５）。
【０１３２】
図２０に示されているように、書籍の一覧を示す画面上には、書籍名ごとに「書店情報へ」と示されたＧＵＩ部品（アイコン）が設けられている。また、ユーザ端末１１は、書籍一覧情報受信時に、各書籍を販売する書店の情報の格納場所を示すＵＲＬを受信するとしてもよい。ユーザ端末１１は、自身に設けられている所定のキーにより「書店情報へ」と示されているアイコンを選択すると、書店情報ＤＢ１５にアクセスを行い、会員の住所および書籍の指定情報（例えば、上記のＵＲＬなど）を送信する（ステップＳ１１６）。
【０１３３】
書店情報ＤＢ１５は、ユーザ端末１１からアクセス要求を受信すると、自ＤＢ内における各書店で販売される書籍（各書店で在庫がある書籍）を示す１つ以上の書店情報から、指定された書籍を販売する書店情報を抽出する。書店情報ＤＢ１５は、抽出した書店情報を用いて、指定された書籍を販売する書店（書籍の在庫がある書店）の一覧が示されている書店一覧情報を作成する。なお、書店情報ＤＢ１５は、書店ごとに、書籍の値段、書店の住所、書店の電話番号、および会員の住所から書店までの交通手段（地図、移動時間を含む）などの情報が示された書店一覧情報を作成するとしてもよい。書店情報ＤＢ１５は、作成した書店一覧情報をユーザ端末１１に送信する（ステップＳ１１７）。
【０１３４】
なお、書店情報ＤＢ１５は、ある書籍を販売する書店名を、会員の住所に近いものから順に並べて書店一覧情報を作成するとしてもよい。また、書店情報ＤＢ１５は、書籍の値段が安価なものから順に並べて書店一覧情報を作成するとしてもよい。また、ユーザ端末１１は、書店名を並べる基準（例えば、書店の住所、または書籍の価格など）を指定できるとしてもよい。
【０１３５】
ユーザ端末１１は、書店情報ＤＢ１５から書店一覧情報を受信すると（ステップＳ１１８）、受信した書店一覧情報を表示する。
【０１３６】
図２１は、本発明の第２の実施形態におけるユーザ端末１１により表示される書店一覧情報を示す画面図である。図２１には、学習アドバイス端末１３により指定された書籍およびその書籍を販売する書店名が示されている。会員は、学習指導サービスと契約している書店の中で、会員の住所に近い場所にある書店における書籍の値段情報を受け取ることができる。
【０１３７】
ユーザ端末１１は、書籍情報の中から購入する書籍を選択して、選択した書籍を示す情報である購入する書籍リストを作成する（ステップＳ１１９）。次に、ユーザ端末１１は、作成した書籍リストを顧客管理情報ＤＢ１２および書店情報ＤＢ１５へ送信する（ステップＳ１２０）。
【０１３８】
顧客管理情報ＤＢ１２は、書籍リストをユーザ端末１１から受信すると（ステップＳ１２１）、該当する会員の情報に対応付けて、受信した書籍リストを保持する。
【０１３９】
書店情報ＤＢ１５は、書籍リストをユーザ端末１１から受信すると（ステップＳ１２２）、書籍リスト上の商品（書籍）配送依頼を配送センタＤＢ１６に送信する（ステップＳ１２３）。
【０１４０】
配送センタＤＢ１６は、書店情報ＤＢ１５から商品配送依頼を受信すると（ステップＳ１２４）、受信した商品配送依頼を会員ごとに登録する。配送センタは、配送依頼された書籍を、ユーザ端末１１により指定された書店から集荷して、会員への出荷の準備を行う。配送センタＤＢ１６は、書籍の出荷の準備が整い次第、書籍の出荷を開始する旨の出荷開始メッセージをユーザ端末１１、顧客管理情報ＤＢ１２、および書店情報ＤＢ１５に送信する（ステップＳ１２５）。
【０１４１】
ユーザ端末１１、顧客管理情報ＤＢ１２、および書店情報ＤＢ１５は、配送センタＤＢ１６から出荷開始メッセージを受信する（ステップＳ１２６、Ｓ１２７、Ｓ１２８）。
【０１４２】
配送センタＤＢ１６は、会員が書籍を受け取った旨の通知を、ネットワーク１７に接続され、書籍の配送を行った業者が操作する端末装置から受信すると、出荷が完了したと判断し、書籍の出荷が完了した旨の出荷完了メッセージをユーザ端末１１、顧客管理情報ＤＢ１２、および書店情報ＤＢ１５に送信する（ステップＳ１２９）。
【０１４３】
ユーザ端末１１、顧客管理情報ＤＢ１２、および書店情報ＤＢ１５は、配送センタＤＢ１６から出荷完了メッセージを受信する（ステップＳ１３０、Ｓ１３１、Ｓ１３２）。
【０１４４】
顧客管理情報ＤＢ１２は、出荷完了メッセージに含まれる会員が購入した書籍と代金を自ＤＢに登録して、指定された日に商品（書籍）の料金支払い請求を示す情報をユーザ端末１１に送信する（ステップＳ１３３）。
【０１４５】
なお、ユーザ端末１１は、例えば図１７および図１９に示されるようにブラウザを用いて各ＤＢに格納されているＷｅｂページを自身の画面上に表示させてもよい。また、ユーザ端末１１は、Ｊａｖａ（登録商標）プログラムを利用する機能を有しているとしてよい。その場合、ユーザ端末１１は、顧客管理情報ＤＢ１２から図１７および図１９などに示される画面情報の表示を行うＪａｖａ（登録商標）プログラム（Ｊａｖａ（登録商標）アプレット）をダウンロードし、ブラウザでＪａｖａ（登録商標）プログラムを利用して情報（解答情報、アドバイス情報など）の送受信および表示を行うとしてもよい。また、ユーザ端末１１は、電子メールを用いて解答情報などの情報の送受信を行うとしてもよい。
【０１４６】
また、本実施形態では、ユーザの学習理解度（試験問題の正答率）に応じて、学習用書籍に関する情報をユーザ端末１１に送信していたが、学習用のソフトウェアなど他のものに関する情報を送信するようにしてもよい。また、ユーザの学習理解度に応じて、専門学校などにおける所定の学習クラス（コース）を薦める旨のアドバイス情報をユーザ端末１１に送信するようにしてもよい。
【０１４７】
また、顧客管理情報ＤＢ１２、書店情報ＤＢ１５、または配送センタＤＢ１６は、書籍を販売する店舗、および書籍を配送する配送業者などの広告情報を保持するとしてもよい。その場合、ユーザ端末１１は、広告情報を保持するデータベースから広告情報を受信し、学習指導サービスに係る画面（例えば情報登録画面１８）上に表示する。学習指導サービスのサービス提供者は、広告掲載の対価として広告を掲載した店舗および会社から広告料金を徴収する。従って、学習指導サービスのサービス提供者は、広告における収入を期待することができ、学習指導サービスの運営費とすることが可能となる。なお、ユーザ端末１１のポータルサイトに上記の広告情報を表示することにより、広告効果をさらに高めることが可能となる。
【０１４８】
また、学習指導サービスのサービス提供者は、書籍を販売する店舗および書籍を配送する配送業者から学習指導サービスの会費を徴収するとしてもよい。その場合、学習指導サービスのサービス提供者は、徴収した会費を学習指導サービスの運営費とすることが可能となる。
【０１４９】
以上説明したように、本実施形態によれば、学習指導システムは、会員の学習理解度に基づいて、学習方法および学習用書籍の選択に関するアドバイスを示す情報を会員に提供する。従って、会員は、自身に合った学習方法に沿って、学習することが可能となる。
【０１５０】
また、本実施形態によれば、学習指導システムは、会員の住所の近隣の学習指導サービスと提携している店舗において販売されている書籍の値段を示す情報を会員に提供する。従って、会員は、情報提供された書籍を安価で、近くの店舗で購買することが可能となる。また、書籍を販売する店舗は、より多くの顧客を獲得することが可能となる。
【０１５１】
また、本実施形態によれば、配送センタは、ユーザ端末１１により指定された書籍の配送を行う。従って、会員は、書籍を購買するために外出する必要はなく、容易に書籍を取得することが可能となる。また、配送センタは、より多くの顧客を獲得することが可能となる。
【０１５２】
また、ユーザ端末１は、情報を送信・受信する処理と、情報を表示する処理と、情報を入力する処理と、を行う。顧客管理情報ＤＢ２は、情報を送信・受信する処理と、会員に関する情報を格納する処理と、会員の健康状態を示す情報を生成する処理と、を行う。カウンセリング端末３は、情報を送信・受信する処理と、情報を表示する処理と、健康および食事メニューに関するアドバイスを示す情報を作成する処理と、を行う。食事メニューＤＢ４は、情報を送信・受信する処理と、食事メニューに関する情報を格納する処理と、食事メニューに関する情報を抽出する情報と、を行う。スーパー情報ＤＢ５は、情報を送信・受信する処理と、食材を販売する店舗に係る情報を格納する処理と、食材を販売する店舗に係る情報を抽出する処理と、を行う。配送センタＤＢ６は、情報を送信・受信する処理を行う。
【０１５３】
また、ユーザ端末１１は、情報を送信・受信する処理と、情報を表示する処理と、情報を入力する処理と、を行う。顧客管理情報ＤＢ１２は、情報を送信・受信する処理と、会員に関する情報を格納する処理と、試験問題に関する情報を格納する処理と、試験解答に基づいて正答率を示す情報を作成する処理と、を行う。学習アドバイス端末１３は、情報を送信・受信する処理と、情報を表示する処理と、学習方法に関するアドバイスを示す情報を作成する処理と、を行う。書籍ＤＢ１４は、情報を送信・受信する処理と、書籍に関する情報を格納する処理と、書籍に関する情報を抽出する情報と、を行う。書店情報ＤＢ１５は、情報を送信・受信する処理と、書店に係る情報を格納する処理と、書店に係る情報を抽出する処理と、を行う。配送センタＤＢ１６は、情報を送信・受信する処理を行う。
【０１５４】
上記の処理は、ユーザ端末１、１１、顧客管理情報ＤＢ２、１２、カウンセリング端末３、食事メニューＤＢ４、スーパー情報ＤＢ５、配送センタＤＢ６、１６、学習アドバイス端末１３、書籍ＤＢ１４、および書店情報ＤＢ１５が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１５５】
なお、上記の実施形態は本発明の好適な実施の一例であり、本発明の実施形態は、これに限定されるものではなく、本発明の要旨を逸脱しない範囲において種々変形して実施することが可能となる。
【０１５６】
【発明の効果】
以上説明したように、本発明によれば、カウンセリング端末装置は、会員の健康状態および会員が歩いた歩数に基づいて、健康および食事メニューのアドバイスを示す情報をユーザ端末装置に送信する。従って、会員は、医と食の両方から自己管理を行うことにより、健康を管理することが可能となる。
【０１５７】
また、本発明によれば、食材情報データベースは、会員の住所の近隣の店舗において販売されている料理の食材の値段を示す情報をユーザ端末装置に送信する。従って、会員は、提供された食事メニューの食材を安価で、近くの店舗で購買することが可能となる。また、食材を販売する店舗は、より多くの顧客を獲得することが可能となる。
【０１５８】
また、本発明によれば、配送センタデータベースは、ユーザ端末装置から食材の配送要求を受信する。従って、会員は、食材を購買するために外出する必要はなく、容易に食材を取得することが可能となる。また、配送センタは、より多くの顧客を獲得することが可能となる。
【０１５９】
また、本発明によれば、学習アドバイス端末装置は、会員の学習理解度に基づいて、学習方法および学習用書籍の選択に関するアドバイスを示す情報をユーザ端末装置に送信する。従って、会員は、自身に合った学習方法に沿って、学習することが可能となる。
【０１６０】
また、本発明によれば、書店データベースは、会員の住所の近隣の店舗において販売されている書籍の値段を示す情報をユーザ端末装置に送信する。従って、会員は、情報提供された書籍を安価で、近くの店舗で購買することが可能となる。また、書籍を販売する店舗は、より多くの顧客を獲得することが可能となる。
【０１６１】
また、本発明によれば、配送センタデータベースは、ユーザ端末装置から書籍の配送要求を受信する。従って、会員は、書籍を購買するために外出する必要はなく、容易に書籍を取得することが可能となる。また、配送センタは、より多くの顧客を獲得することが可能となる。
【図面の簡単な説明】
【図１】本発明の第１の実施形態における健康管理システムの構成を示す図である。
【図２】本発明の第１の実施形態の健康管理システムにおける会員の情報の新規登録動作を示す図である。
【図３】本発明の第１の実施形態における健康管理システムによる動作を示すフローチャートである。
【図４】本発明の第１の実施形態における健康管理システムによる動作を示すフローチャートである。
【図５】本発明の第１の実施形態における健康管理システムによる動作を示すフローチャートである。
【図６】本発明の第１の実施形態の健康管理システムにおける歩数入力動作を示す図である。
【図７】本発明の第１の実施形態におけるユーザ端末に表示される歩数のグラフを示す画面図である。
【図８】本発明の第１の実施形態におけるユーザ端末に表示される健康および食事メニューのアドバイスを示す画面図である。
【図９】本発明の第１の実施形態におけるユーザ端末に表示される料理の一覧の画面図である。
【図１０】本発明の第１の実施形態におけるユーザ端末が表示するレシピ情報を示す画面図である。
【図１１】本発明の第１の実施形態におけるユーザ端末により表示される食材情報を示す画面図である。
【図１２】本発明の第２の実施形態における学習指導システムの構成を示す図である。
【図１３】本発明の第２の実施形態の学習指導システムにおける会員の情報の新規登録動作を示す図である。
【図１４】本発明の第２の実施形態における学習指導システムによる動作の流れを示すフローチャートである。
【図１５】本発明の第２の実施形態における学習指導システムによる動作の流れを示すフローチャートである。
【図１６】本発明の第２の実施形態における学習指導システムによる動作の流れを示すフローチャートである。
【図１７】本発明の第２の実施形態の学習指導システムにおける解答入力動作を示す図である。
【図１８】本発明の第２の実施形態におけるユーザ端末に表示される試験結果のグラフを示す画面図である。
【図１９】本発明の第２の実施形態におけるユーザ端末に表示される学習方法のアドバイスおよび試験結果を示す画面図である。
【図２０】本発明の第２の実施形態におけるユーザ端末に表示される書籍の一覧の画面図である。
【図２１】本発明の第２の実施形態におけるユーザ端末により表示される書店一覧情報を示す画面図である。
【符号の説明】
１、１１　ユーザ端末
２、１２　顧客管理情報ＤＢ
３　カウンセリング端末
４　食事メニューＤＢ
５　スーパー情報ＤＢ
６、１６　配送センタＤＢ
７、１７　ネットワーク
８、１８　情報登録画面
９　歩数入力画面
１３　学習アドバイス端末
１４　書籍ＤＢ
１５　書店情報ＤＢ
１９　解答入力画面
【図１】
2004070755.tif 000003
【図２】
2004070755.tif 000004
【図３】
2004070755.tif 000005
【図４】
2004070755.tif 000006
【図５】
2004070755.tif 000007
【図６】
2004070755.tif 000008
【図７】
2004070755.tif 000009
【図８】
2004070755.tif 000010
【図９】
2004070755.tif 000011
【図１０】
2004070755.tif 000012
【図１１】
2004070755.tif 000013
【図１２】
2004070755.tif 000014
【図１３】
2004070755.tif 000015
【図１４】
2004070755.tif 000016
【図１５】
2004070755.tif 000017
【図１６】
2004070755.tif 000018
【図１７】
2004070755.tif 000019
【図１８】
2004070755.tif 000020
【図１９】
2004070755.tif 000021
【図２０】
2004070755.tif 000022
【図２１】
2004070755.tif 000023